(57)【要約】【課題】  ユーザーが直観的にユーザー入力の動作状態を認知することができるので、操作中であるインタラクションを断絶させず、入力結果が直ちにフィードバックされて、ユーザー入力の便宜性がさらに向上されるディスプレイ装置およびその制御方法を提供する。【解決手段】  ディスプレイ装置は、映像信号を処理する映像処理部と；処理された映像信号を映像で表示するディスプレイ部と；ユーザー入力を受信するユーザー入力部と；ユーザー入力が受信されれば、ユーザー入力の位置に対応して移動されるカーソルをユーザー入力の動作状態を示すアイコンで表示するようにディスプレイ部を制御する制御部と；を含む。【選択図】      図２
2014093090.tif 000002
【特許請求の範囲】
【請求項１】
ディスプレイ装置において、
映像信号を処理する映像処理部と；
前記処理された映像信号を映像で表示するディスプレイ部と；
ユーザー入力を受信するユーザー入力部と；
前記ユーザー入力が受信されれば、前記ユーザー入力の位置に対応して移動されるカーソルを前記ユーザー入力の動作状態を示すアイコンで表示するように前記ディスプレイ部を制御する制御部と；
を含むことを特徴とするディスプレイ装置。
【請求項２】
前記ユーザー入力の動作状態は、前記ユーザー入力部の入力モードを含み、前記入力モードはリモコン入力、マウス入力、キーボード入力、ジェスチャー入力、タッチ入力および音声入力による複数の入力モードの中で少なくとも一つを含むことを特徴とする請求項１に記載のディスプレイ装置。
【請求項３】
前記ユーザー入力の動作状態は、入力されたコマンドによる動作状態および前記ユーザー入力の位置で入力可能なコマンドの中で少なくとも一つを含むことを特徴とする請求項１に記載のディスプレイ装置。
【請求項４】
前記入力されたコマンドによる動作状態は、ロールオーバー、プレス、ウェイティングおよびローディングの中で少なくとも一つを含み、
前記入力可能なコマンドは、バック、スクロール、リフレッシュおよびスライダーの中で少なくとも一つを含むことを特徴とする請求項３に記載のディスプレイ装置。
【請求項５】
前記ユーザー入力の動作状態は、ユーザー入力の位置に存在するオブジェクトに対する情報をさらに含み、
前記オブジェクトに対する情報は、コンテンツ、ウェブブラウザ、スマートガイド、アプリケーション、コミュニケーションおよびヘルプの中で少なくとも一つを含むことを特徴とする請求項３に記載のディスプレイ装置。
【請求項６】
前記表示されるアイコンは、前記動作状態に対応する機能を形象化したことを特徴とする請求項１乃至請求項５の中でいずれか一項に記載のディスプレイ装置。
【請求項７】
前記制御部は、複数のオブジェクトの中で前記カーソルが位置するオブジェクトを強調表示するように前記ディスプレイ部を制御することを特徴とする請求項１乃至請求項５の中でいずれか一項に記載のディスプレイ装置。
【請求項８】
前記制御部は、前記ユーザー入力の位置をポインティングする基本カーソルに前記動作状態に対応するアイコンを追加して表示するように前記ディスプレイ部を制御することを特徴とする請求項１乃至請求項５の中でいずれか一項に記載のディスプレイ装置。
【請求項９】
ディスプレイ装置の制御方法において、
ユーザー入力を受信する段階と；
前記ユーザー入力の位置に対応して移動されるカーソルを前記ユーザー入力の動作状態を示すアイコンで表示する段階と；
を含むことを特徴とするディスプレイ装置の制御方法。
【請求項１０】
前記ユーザー入力の動作状態は、前記ユーザー入力部の入力モードを含み、前記入力モードはリモコン入力、マウス入力、キーボード入力、ジェスチャー入力、タッチ入力および音声入力による複数の入力モードの中で少なくとも一つを含むことを特徴とする請求項９に記載のディスプレイ装置の制御方法。
【請求項１１】
前記ユーザー入力の動作状態は、入力されたコマンドによる動作状態および前記ユーザー入力の位置で入力可能なコマンドの中で少なくとも一つを含むことを特徴とする請求項９に記載のディスプレイ装置の制御方法。
【請求項１２】
前記入力されたコマンドによる動作状態は、ロールオーバー、プレス、ウェイティングおよびローディングの中で少なくとも一つを含み、
前記入力可能なコマンドは、バック、スクロール、リフレッシュおよびスライダーの中で少なくとも一つを含むことを特徴とする請求項１１に記載のディスプレイ装置の制御方法。
【請求項１３】
前記ユーザー入力の動作状態は、ユーザー入力の位置に存在するオブジェクトに対する情報をさらに含み、
前記オブジェクトに対する情報は、コンテンツ、ウェブブラウザ、スマートガイド、アプリケーション、コミュニケーションおよびヘルプの中で少なくとも一つを含むことを特徴とする請求項９に記載のディスプレイ装置の制御方法。
【請求項１４】
複数のオブジェクトの中で前記カーソルが位置するオブジェクトを強調表示する段階をさらに含むことを特徴とする請求項９乃至請求項１３の中でいずれか一項に記載のディスプレイ装置の制御方法。
【請求項１５】
前記アイコンで表示する段階は、前記ユーザー入力の位置をポインティングする基本カーソルに前記動作状態に対応するアイコンを追加して表示することを特徴とする請求項９乃至請求項１３の中でいずれか一項に記載のディスプレイ装置の制御方法。
【発明の詳細な説明】
【技術分野】
【０００１】
本発明は、ディスプレイ装置およびその制御方法に係り、さらに詳しくは、ユーザー入力の動作状態を表示するディスプレイ装置およびその制御方法に関する。
【背景技術】
【０００２】
一般的に、ＴＶのようなディスプレイ装置は、外部の多様な映像供給源から送信されたりまたは自体的に保存されている映像信号／映像データを処理して、ディスプレイパネル上に映像で表示する。一般のユーザーに提供されるディスプレイ装置は、例えば、ＴＶまたはモニター等があり、さらに詳しくは、ＴＶで具現されるディスプレイ装置は、外部から受信される放送信号をデコーディング、スケーリング等のような多様な映像処理プロセスを通じてユーザーが欲しい放送チャンネルの映像で提供する。
【０００３】
スマートＴＶのようなディスプレイ装置は、リモコン、マウス、キーボード、音声入力、ハンドジェスチャー等のような多様な入力モードを通じてユーザー入力コマンドを受信することができる。ディスプレイ装置は画面上のユーザー入力に対応する位置にポインティング
カーソルを表示することができる。
【０００４】
しかし、ディスプレイ装置は通常的に入力モードや入力コマンド等と係らなく、常に同じ模様のポインティングカーソルを表示するので、ユーザーが入力状態を直観的に把握したり、入力結果がフィードバックされ難いという問題がある。したがって、操作中であるインタラクション（ｉｎｔｅｒａｃｔｉｏｎ）を断絶させて、ユーザー入力に対するユーザーの没入度を落とし、ユーザーの不便を招くようになる。
【発明の概要】
【発明が解決しようとする課題】
【０００５】
従って、本発明は、ユーザー入力の動作状態を表示するディスプレイ装置およびその制御方法を提供することを目的とする。
【課題を解決するための手段】
【０００６】
本発明の実施形態によるディスプレイ装置は、映像信号を処理する映像処理部と；処理された映像信号を映像で表示するディスプレイ部と；ユーザー入力を受信するユーザー入力部と；ユーザー入力が受信されれば、ユーザー入力の位置に対応して移動されるカーソルをユーザー入力の動作状態を示すアイコンで表示するようにディスプレイ部を制御する制御部と；を含む。
【０００７】
ユーザー入力の動作状態は、ユーザー入力部の入力モードを含むことができる。
【０００８】
入力モードは、リモコン入力、マウス入力、キーボード入力、ジェスチャー入力、タッチ入力および音声入力による複数の入力モードの中で少なくとも一つを含むことができる。
【０００９】
ユーザー入力の動作状態は、入力されたコマンドによる動作状態およびユーザー入力の位置で入力可能なコマンドの中で少なくとも一つを含むことができる。
【００１０】
入力されたコマンドによる動作状態は、ロールオーバー、プレス、ウェイティングおよびローディングの中で少なくとも一つを含み、入力可能なコマンドは、バック、スクロール、リフレッシュおよびスライダーの中で少なくとも一つを含むことができる。
【００１１】
ユーザー入力の動作状態は、ユーザー入力の位置に存在するオブジェクトに対する情報をさらに含み、オブジェクトに対する情報はコンテンツ、ウェブブラウザ、スマートガイド、アプリケーション、コミュニケーションおよびヘルプの中で少なくとも一つを含むことができる。
【００１２】
表示されるアイコンは動作状態に対応する機能を形状化することができる。
【００１３】
制御部は複数のオブジェクトの中でカーソルが位置するオブジェクトを強調表示するようにディスプレイ部を制御することができる。制御部はアイコンにアニメーション効果を適用するようにディスプレイ部を制御することができる。制御部はユーザー入力の位置をポインティングする基本カーソルに動作状態に対応するアイコンを追加して表示するようにディスプレイ部を制御することができる。
【００１４】
一方、本発明の実施形態によるディスプレイ装置の制御方法は、ユーザー入力を受信する段階と；ユーザー入力の位置に対応して移動されるカーソルをユーザー入力の動作状態を示すアイコンで表示する段階と；を含む。
【００１５】
ユーザー入力の動作状態は、ユーザー入力部の入力モードを含むことができる。入力モードはリモコン入力、マウス入力、キーボード入力、ジェスチャー入力、タッチ入力および音声入力による複数の入力モードの中で少なくとも一つを含むことができる。ユーザー入力の動作状態は、入力されたコマンドによる動作状態およびユーザー入力の位置で入力可能なコマンドの中で少なくとも一つを含むことができる。
【００１６】
入力されたコマンドによる動作状態は、ロールオーバー、プレス、ウェイティングおよびローディングの中で少なくとも一つを含み、入力可能なコマンドは、バック、スクロール、リフレッシュおよびスライダーの中で少なくとも一つを含むことができる。
【００１７】
ユーザー入力の動作状態は、ユーザー入力の位置に存在するオブジェクトに対する情報をさらに含み、オブジェクトに対する情報は、コンテンツ、ウェブブラウザ、スマートガイド、アプリケーション、コミュニケーションおよびヘルプの中で少なくとも一つを含むことができる。
【００１８】
表示されるアイコンは動作状態に対応する機能を形象化することができる。
【００１９】
複数のオブジェクトの中でカーソルが位置するオブジェクトを強調して表示する段階をさらに含むことができる。
【００２０】
アイコンにアニメーション効果を適用する段階をさらに含むことができる。アイコンで表示する段階は、ユーザー入力の位置をポインティングする基本カーソルに動作状態に対応するアイコンを追加して表示することができる。
【発明の効果】
【００２１】
本発明によると、ユーザーが直観的にユーザー入力の動作状態を認知することによって、操作中であるインタラクションを断絶させず、入力結果が直ちにフィードバックされるので、ユーザー入力の便宜性がさらに向上される。
【図面の簡単な説明】
【００２２】
【図１】本発明の実施形態によるディスプレイ装置の構成を示すブロック図である。
【図２】本発明の実施形態によってカーソルをディスプレイ装置の入力モードを示すアイコンで表示した例を示す図である。
【図３】本発明の実施形態によってカーソルをディスプレイ装置の入力モードを示すアイコンで表示した例を示す図である。
【図４】本発明の実施形態によってカーソルをディスプレイ装置の入力モードを示すアイコンで示す他の例を示す図である。
【図５】本発明の実施形態によってカーソルを現在に入力されたコマンドによる動作状態を示すアイコンで表示した例を示す図である。
【図６】本発明の実施形態によってカーソルを現在に入力されたコマンドによる動作状態を示すアイコンで表示した例を示す図である。
【図７】本発明の実施形態によってカーソルを現在に入力されたコマンドによる動作状態を示すアイコンで表示した例を示す図である。
【図８】本発明の実施形態によってカーソルを現在ユーザー入力の位置で入力可能なコマンドを示すアイコンで表示した例を示す図である。
【図９】本発明の実施形態によってカーソルを現在ユーザー入力の位置で入力可能なコマンドを示すアイコンで表示した例を示す図である。
【図１０】本発明の実施形態によってカーソルを現在ユーザー入力の位置で入力可能なコマンドを示すアイコンで表示した例を示す図である。
【図１１】本発明の実施形態によってカーソルを現在ユーザー入力の位置で入力可能なコマンドを示すアイコンで表示した例を示す図である。
【図１２】本発明の実施形態によってカーソルがユーザー入力位置のオブジェクトに対する情報を示すアイコンで表示された例を示す図である。
【図１３】本発明の実施形態によってカーソルがユーザー入力位置のオブジェクトに対する情報を示すアイコンで表示された例を示す図である。
【図１４】本発明の実施形態によるディスプレイ装置の制御方法を示すフローチャートである。
【発明を実施するための形態】
【００２３】
以下、添付図面を参照して本発明の好ましい実施形態に対して詳しく説明する。
【００２４】
図１は本発明の実施形態によるディスプレイ装置１００の構成を示すブロック図である。図１に示すように、本実施形態によるディスプレイ装置１００は、外部の映像供給源（図示せず）から提供される映像信号を既設定された映像処理プロセスにしたがって処理して映像で表示する。
【００２５】
ディスプレイ装置１００は、リモコン、マウス、キーボード、音声入力、ハンドジェスチャー等の多様な入力モードに従って遠隔で制御可能に生成された既設定されたコマンド（ｃｏｍｍａｎｄ）／データ／情報／信号が入力されることができる。
【００２６】
本実施形態でディスプレイ装置１００は、放送局の送出装備から受信される放送信号／放送情報／放送データに基づく放送映像を表示するＴＶで具現される場合に対して説明する。しかし、本発明の思想がディスプレイ装置１００の具現例示に限られず、ディスプレイ装置１００はＴＶ以外にも映像を表示することができる多様な種類の具現例示が適用されることができる。
【００２７】
また、ディスプレイ装置１００は表示可能な映像の種類が放送映像に限られず、例えば、ディスプレイ装置１００は多様な形式の映像供給源（図示せず）から受信される信号／データに基づく動画、停止映像、アプリケーション（ａｐｐｌｉｃａｔｉｏｎ）、ＯＳＤ（ｏｎ−ｓｃｒｅｅｎ  ｄｉｓｐｌａｙ）、多様な動作制御のためのＧＵＩ（ｇｒａｐｈｉｃ  ｕｓｅｒ  ｉｎｔｅｒｆａｃｅ）等の映像を表示することができる。本実施形態のディスプレイ装置１００は、ユーザー入力の位置に対応して移動可能に表示されるポインティング  カーソル（Ｐｏｉｎｔｉｎｇ  Ｃｕｒｓｏｒ、以下、カーソルと言う）をさらに表示することができる。
【００２８】
本発明の一実施形態によれば、ディスプレイ装置１００はスマートＴＶで具現されることができる。スマートＴＶはリアルタイムで放送信号を受信して表示することができるし、ウェブブラウザー機能を有しているのでリアルタイムで放送信号を表示しながら、インターネットを通じて多様なコンテンツを検索し消費することができるし、このために便利なユーザー環境を提供できるＴＶである。また、スマートＴＶは開放型ソフトウェアプラットホームを含んでいてユーザーに両方向サービスを提供することができる。したがって、スマートＴＶは開放型ソフトウェアプラットホームを通じて多様なコンテンツ、例えば所定のサービスを提供するアプリケーションをユーザーに提供することができる。このようなアプリケーションは多様な種類のサービスを提供できる応用プログラムとして、例えば、ＳＮＳ、金融、ニュース、天気、地図、音楽、映画、ゲーム、電子本等のサービスを提供するアプリケーションを含む。ディスプレイ装置１００がスマートＴＶで具現される場合、ディスプレイ装置１００は放送信号、映像信号等を受信し処理する第１ブロックと；ウェブブラウザを通じるインターネットサービス機能、開放型ソフトウェアプラットフォームを通じるアプリケーションを提供する第２ブロックと；機能的に分離されることもできる。
【００２９】
図１に示すように、ディスプレイ装置１００は映像信号を受信する映像受信部１１０と、映像受信部１１０に受信される映像信号を処理する映像処理部１２０と、映像処理部１２０によって処理される映像信号を映像で表示するディスプレイ部１３０と、ユーザーの入力を受信するユーザー入力部１４０と、各種のデータが保存される保存部１５０と、ディスプレイ装置１００を制御する制御部１６０と、を含む。
【００３０】
映像受信部１１０は映像信号を受信して映像処理部１２０に伝達し、受信する映像信号の規格およびディスプレイ装置１００の具現形態に従って多様な方式で具現されることができる。例えば、映像受信部１１０は放送局（図示せず）から送出されるＲＦ（ｒａｄｉｏ  ｆｒｅｑｕｅｎｃｙ）信号を無線で受信したり、コンポジット（ｃｏｍｐｏｓｉｔｅ）ビデオ、コンポネント（ｃｏｍｐｏｎｅｎｔ）ビデオ、スーパービデオ（ｓｕｐｅｒ  ｖｉｄｅｏ）、ＳＣＡＲＴ、ＨＤＭＩ（登録商標（ｈｉｇｈ  ｄｅｆｉｎｉｔｉｏｎ  ｍｕｌｔｉｍｅｄｉａ  ｉｎｔｅｒｆａｃｅ））規格等による映像信号を有線で受信することができる。映像受信部１１０は、映像信号が放送信号である場合、この放送信号をチャンネル別にチューニングするチューナー（ｔｕｎｅｒ）を含む。
【００３１】
また、映像信号は外部機器から入力可能であり、例えば、映像信号はＰＣ、ＡＶ機器、スマートフォン、スマートパッド等のような外部機器から入力されることができる。また、映像信号はインターネット等のようなネットワークを通じて受信されるデータに基づくことができる。この場合、ディスプレイ装置１００は、ネットワークを通じて通信が行われるネットワーク通信部（図示せず）をさらに含むことができる。また、映像信号はフラッシュメモリー、ハードディスク等のような非揮発性の保存部１５０に保存されたデータに基づくことができる。保存部１５０はディスプレイ装置１００の内部または外部に設けられ、外部に設けられる場合には保存部１５０が連結される連結部（図示せず）をさらに含むことができる。
【００３２】
映像処理部１２０は映像信号に対して既設定された多様な映像処理プロセスを行う。映像処理部１２０はこのようなプロセスを行った映像信号をディスプレイ部１３０に出力することによって、ディスプレイ部１３０に映像が表示される。
【００３３】
映像処理部１２０が行う映像処理プロセスの種類は限られず、例えば、多様な映像フォーマットに対応するデコーディング（ｄｅｃｏｄｉｎｇ）、ディ−インタレーシング（ｄｅ−ｉｎｔｅｒｌａｃｉｎｇ）、フレームリフレッシュレート（ｆｒａｍｅ  ｒｅｆｒｅｓｈ  ｒａｔｅ）変換、スケーリング（ｓｃａｌｉｎｇ）、映像画質改善のためのノイズ減少（ｎｏｉｓｅ  ｒｅｄｕｃｔｉｏｎ）、ディテール強化（ｄｅｔａｉｌ  ｅｎｈａｎｃｅｍｅｎｔ）、ライン  スキャニング（ｌｉｎｅ  ｓｃａｎｎｉｎｇ）等を含むことができる。映像処理部１２０はこのような各プロセスを独自に行うことができる個別的構成のグループで具現されたり、または色々な機能を統合させたＳｏＣ（Ｓｙｓｔｅｍ−ｏｎ−Ｃｈｉｐ）で具現されることができる。
【００３４】
ディスプレイ部１３０は映像処理部１２０によって処理される映像信号に基づいて映像を表示する。ディスプレイ部１３０の具現方式は限られず、例えば、液晶（ｌｉｑｕｉｄ  ｃｒｙｓｔａｌ）、プラズマ（ｐｌａｓｍａ）、発光ダイオード（ｌｉｇｈｔ−ｅｍｉｔｔｉｎｇ  ｄｉｏｄｅ）、有機発光ダイオード（ｏｒｇａｎｉｃ  ｌｉｇｈｔ−ｅｍｉｔｔｉｎｇ  ｄｉｏｄｅ）、面伝導電子銃（ｓｕｒｆａｃｅ−ｃｏｎｄｕｃｔｉｏｎ  ｅｌｅｃｔｒｏｎ−ｅｍｉｔｔｅｒ）、炭素ナノチューブ（ｃａｒｂｏｎ  ｎａｎｏ−ｔｕｂｅ）、ナノクリスタル（ｎａｎｏ−ｃｒｙｓｔａｌ）等の多様なディスプレイ方式で具現されることができる。
【００３５】
ディスプレイ部１３０はその具現方式にしたがって付加的な構成を追加的に含むことができる。例えば、ディスプレイ部１３０が液晶方式の場合、ディスプレイ部１３０は液晶ディスプレイパネル（図示せず）と、これに光を供給するバックライトユニット（図示せず）と、パネル（図示せず）を駆動させるパネル駆動基板（図示せず）と、を含む。
【００３６】
本実施形態のディスプレイ部１３０は、ＯＳＤの一例として、後述するユーザー入力部１４０で感知されたユーザー入力の位置に対応するカーソル（ｃｕｒｓｏｒ）を表示する。ここで、カーソルは感知されるユーザー入力にしたがってその位置が移動されるように表示される。カーソルは、後述するユーザー入力の動作状態を示すアイコン（ｉｃｏｎ）を含み、アイコンはグラフィックとテキストを含み、テキストは数字、文字、特殊記号等を含むことができる。
【００３７】
ここで、ディスプレイ部１３０がタッチスクリーン（ｔｏｕｃｈ−ｓｃｒｅｅｎ）である場合、ユーザーがディスプレイ部１３０のカーソルをタッチして受信されるユーザー入力に対応するコマンドを制御部１６０に伝達することもできる。
【００３８】
ユーザー入力部１４０はユーザーの操作および入力によって、既設定された多様な制御コマンドまたは限定されない情報を制御部１６０に伝達する。ユーザー入力部１４０はディスプレイ装置１００外側に設置されたメニューキー（ｍｅｍｕ−ｋｅｙ）および入力パネル（ｐａｎｅｌ）、ディスプレイ装置１００と分離及び離隔されるリモコン（ｒｅｍｏｔｅ  ｃｏｎｔｒｏｌｌｅｒ）、マウス、キーボードおよび音声取得装置、またはユーザーのハンドジェスチャー入力を感知するモーション感知センサー等を含む。
【００３９】
ユーザー入力部１４０がリモコン、マウス、キーボードまたは音声取得装置で具現される場合、ユーザー入力部１４０が制御部１６０にユーザーの入力を送信する方式には制限がなくて、有線または無線通信を使用することができる。有線通信は、シリアル、イーサネット（登録商標（ｅｔｈｅｒｎｅｔ））等を含み、無線通信は赤外線通信、ＲＦ（ｒａｄｉｏ  ｆｒｅｑｕｅｎｃｙ）、ジグビー（登録商標（Ｚｉｇｂｅｅ））、ブルートゥース（ｂｌｕｅｔｏｏｔｈ）等を含む。この場合、ディスプレイ装置１００は、図示されないが、ユーザー入力部１４０から受信されるユーザーの入力に対応する信号を受信してこれを制御部１６０に伝達する有無線通信モジュールをさらに含むことができる。
【００４０】
リモコンで具現されたユーザー入力部１４０はユーザーのタッチ入力を受信するタッチ感知センサー（タッチパッド）を含むことができる。多様なユーザーのタッチ入力は、タップ（ｔａｐ）、タップより強くタッチするクリック（ｃｌｉｃｋ）、ダブルクリック、ドラッグ（ｄｒａｇ）、スライド、フリッキング（ｆｌｉｃｋｉｎｇ）等を全部含む。また、リモコンで具現されたユーザー入力部１４０は、モーション感知センサーが搭載されたポインティング装置をさらに含むことができる。モーション感知センサーはジャイロセンサー、角速度センサー、地磁気センサーを含む。リモコンはモーション感知センサーの感知結果に基づいてモーション情報を算出して、これに対応するコマンドをディスプレイ装置１００に送信する。
【００４１】
本発明のユーザー入力部１４０はタッチ感知センサーがリモコンだけでなく、キーボードまたは別途の他の装置や、ディスプレイ装置１００本体に設けられることができる。また、ユーザー入力部１４０は、ディスプレイ装置１００または別途の他の装置に備わったモーション感知センサーを利用して、ユーザーのハンドジェスチャー（ｈａｎｄ  ｇｅｓｔｕｒｅ）を感知するように具現することができる。ハンドジェスチャーの強度は、手の移動距離、移動速度、移動領域の面積の中でいずれか一つまたはその組合によって定まれる。制御部１６０は、モーション感知センサーによって感知された手の角速度および加速度に基づいてハンドジェスチャーのモーション情報を算出して保存部１５０に保存された情報と比較および補正することができて、その結果は所定のコマンドとしてディスプレイ装置１００を制御することができる。
【００４２】
音声取得装置で具現されたユーザー入力部１４０は、ユーザーが発話した音声が入力されるマイクロフォンで具現された音声取得部、入力された音声を電気的な音声信号（デジタル信号）に変換する音声変換部を含むことができる。本発明の音声取得装置は、リモコン、ディスプレイ装置１００本体、またはディスプレイ装置１００とデータ通信が可能な別途の装置で設けられることができる。ユーザー入力部１４０が音声取得装置を含む場合、ディスプレイ装置１００はユーザーが発話した音声が変換された音声信号に対応する音声を認識する音声エンジン（図示せず）を含み、保存部１５０にはユーザーが発話した音声を認識するための各種のデータ、例えば、音声信号に対応する音声認識対象情報が保存されることができる。
【００４３】
一方、ユーザー入力部１４０はディスプレイ部１３０にユーザーが選択可能に表示されるＵＩ（Ｕｓｅｒ  Ｉｎｔｅｒｆａｃｅ、以下、ＧＵＩ（Ｇｒａｐｈｉｃ  Ｕｓｅｒ  Ｉｎｔｅｒｆａｃｅ）とも言う）を含むことができる。ここで、ディスプレイ部１３０がタッチスクリーン（ｔｏｕｃｈ−ｓｃｒｅｅｎ）である場合、ユーザー入力部１４０はユーザーがディスプレイ部１３０のＵＩをタッチして受信されるユーザー入力に対応するコマンドを制御部１６０に伝達することができて、ＵＩはユーザー入力の位置に対応して移動されるカーソルを含む。また、ユーザーはリモコンに設けられた方向キー（４方向ボタン）、タッチ感知センサー、マウス、キーボード、ハンドジェスチャー等を操作して、ディスプレイ部１３０に表示されたＵＩを選択することができる。
【００４４】
一方、本発明の思想はこれに限られず、前述の例だけでなく、多様なユーザー入力による例示が適用されることができる。
【００４５】
本実施形態によるディスプレイ装置１００は、ユーザー入力部１４０の動作にしたがって複数の入力モードの中で何れか一つで動作し、複数の入力モードはリモコン入力、マウス入力、キーボード入力、ジェスチャー入力、タッチ入力および音声入力各々による入力モードの中で少なくとも一つを含むことができる。
【００４６】
保存部１５０は制御部１６０の制御にしたがって限られないデータが保存される。保存部１５０はフラッシュメモリー（ｆｌａｓｈ−ｍｅｍｏｒｙ）、ハードディスクドライブ（ｈａｒｄ−ｄｉｓｃ  ｄｒｉｖｅ）のような非揮発性保存媒体で具現される。保存部１５０は制御部１６０によってアクセスされ、制御部１６０によるデータの読取／記録／修正／削除／更新等が行われる。
【００４７】
保存部１５０に保存されるデータは、例えば、ディスプレイ装置１００の駆動のための運営体制をはじめとして、この運営体制上で実行可能な多様なアプリケーション、映像データ、付加データ等を含む。
【００４８】
制御部１６０はディスプレイ装置１００の多様な構成に対する制御動作を行う。例えば、制御部１６０は映像処理部１２０が処理する映像処理プロセスの進行、ユーザー入力部１４０からのコマンドに対する対応制御動作を行うことによって、ディスプレイ装置１００の全体動作を制御する。
【００４９】
本実施形態による制御部１６０は、ユーザー入力部１４０を通じてユーザー入力が受信されれば、ユーザー入力の位置に対応して移動されるカーソルをユーザー入力の動作状態を示すアイコンで表示するようにディスプレイ部１３０を制御する。ここで、制御部１６０はカーソルがアニメーション（ａｎｉｍａｔｉｏｎ）効果を示すように処理してディスプレイ部１３０に表示することができる。例えば、制御部１６０はユーザー入力の動作が感知されれば、ディスプレイ部１３０上にカーソルを表示するものの、順次的にカーソルの大きさが大きくなるように表示し、所定時間の間ユーザー入力がない場合にディスプレイ部１３０上にカーソルが表示されないように制御するものの、順次的にカーソルの大きさが小さくなるように表示することができる。
【００５０】
本実施形態でユーザー入力の動作状態は、ユーザー入力部１４０の入力モードを含む。ここで、カーソル内部の動作状態を示すイメージは該当入力モードに対応してディスプレイ装置１００の機能（ｆｕｎｃｔｉｏｎ）を形象化することができる。例えば、後述する図２乃至図４に表示されたカーソル２０、３０を参照すれば、ディスプレイ装置１００は入力モードによる機能として音声（Ｖｏｉｃｅ）入力、マウス（Ｍｏｕｓｅ）入力、キーボード（Ｋｅｙｂｏａｒｄ）入力およびハンドジェスチャー入力機能を有するようになる。
【００５１】
図２および図３は本発明の実施形態によって、カーソルをディスプレイ装置１００の入力モードを示すアイコンで表示した例を示す図面である。
【００５２】
具体的に、ディスプレイ装置１００の入力モードが音声入力モードである場合、制御部１６０は、図２に示すように、カーソル２０を入力モードに対応するアイコンで表示することができる。ここで、カーソル２０は、例えば、図２に示すように、ユーザー入力の位置をポインティングする基本カーソルアイコン２１にユーザー入力部１４０の動作状態に対応するアイコンすなわち、入力モードを直観的に認知することができるようにマイクを形象化したグラフィックを含むアイコン２２で表示されることができる。
【００５３】
本発明によるユーザー入力部１４０の具現例に従ってディスプレイ装置１００が多様な入力モードを有するので、カーソル２０は音声入力モードアイコン２２だけでなく、図２に示すように、マウス入力モードアイコン２３、キーボード入力モードアイコン２４、ハンドジェスチャー入力モードアイコン２５等のように多様な入力モードを示すアイコンで表示することができる。
【００５４】
例えば、入力モードがハンドジェスチャー入力モードである場合、図３に示すように、カーソル２０は基本カーソルアイコン２１に入力モードを直観的に認知することができるように、手を形象化したグラフィックアイコン２５を含むように表示されることができる。
【００５５】
従って、ユーザーはディスプレイ部１３０に表示されたアイコン２０を通じて入力モードがフィードバックされて、現在に操作中である機器（入力装置）を簡単に認知することができる。
【００５６】
図４は本発明の実施形態によってカーソルをディスプレイ装置１００の入力モードを示すアイコンで表示した他の例を示す図面である。図４に示すように、ディスプレイ装置１００はディスプレイ部１３０にチャンネル選択のための入力ウィンドウ３５および数字キーパッド３６が表示された状態で、ユーザーからカーソル３０を入力ウィンドウ３５に移動する操作が入力される。ここで、制御部１６０は、図４に示すように、カーソル３０を入力モードに対応するアイコンで表示することができる。例えば、ディスプレイ装置１００の入力モードがマウス入力モードである場合、カーソルは入力モードを直観的に認知するようにマウスを形象化したグラフィックを含むアイコン３１で表示されることができる。
【００５７】
ユーザーは入力ウィンドウ３５に表示されたカーソル３０を通じて入力モードを確認し、マウスを利用して数字キーパッド３６の数字をクリックする方式で入力ウィンドウ３５にチャンネル番号を入力することができる。
【００５８】
本発明ではユーザー入力部１４０の具現例に従ってディスプレイ装置１００が多様な入力モードを有するので、カーソル３０はマウス入力モードアイコン３１だけでなく、図４に示すように、音声入力モードアイコン３２、キーボード入力モードアイコン３３、ハンドジェスチャー入力モードアイコン３４等のように多様な入力モードを示すアイコンで表示することができる。
【００５９】
例えば、入力モードが音声入力モードである場合、入力ウィンドウ３５に位置したカーソル３０はマイクを形象化したグラフィックアイコン３２を含むように表示され、ユーザーは欲しいチャンネル番号を発話してチャンネルを選択することができる。
【００６０】
一方、図４ではチャンネル番号を入力される入力ウィンドウ３５に位置したカーソル３０が入力モードを示す実施形態に対して示したが、本発明はこれに限られず、チャンネル番号だけでなくユーザー入力が可能な多様な入力ウィンドウ（例えば、ウェブブラウザの検索語入力ウィンドウ等）にカーソルが位置する場合にも適用することができる。
【００６１】
本実施形態によるユーザー入力の動作状態は、現再に入力されたコマンドによる動作状態またはユーザー入力の位置で入力可能なコマンドをさらに含むことができる。ここで、カーソル内部の動作状態を示すイメージは、該当コマンドに対応してディスプレイ装置１００の機能を形象化することができる。
【００６２】
図５乃至図７は本発明の実施形態により、カーソルを現再に入力されたコマンドによる動作状態を示すアイコンで表示した例を示す図面である。
【００６３】
図５および図６に示すように、ユーザーが多様な方式でユーザー入力部１４０を操作すれば、制御部１６０はこれに対応してカーソルの位置を変更して表示するようにディスプレイ部１３０を制御する。
【００６４】
例えば、ディスプレイ装置１００の入力モードがリモコン入力モードである場合、図５の（ａ）のように、ディスプレイ部１３０に複数の選択可能な項目（オブジェクト（ｏｂｊｅｃｔ））４１、４２、４３およびカーソル（基本カーソル）４４が表示された状態で、ユーザーはユーザー入力部１４０であるリモコンを操作して複数の項目４１、４２、４３の中でいずれか一つを選択することができる。
【００６５】
制御部１６０はユーザーのリモコン操作の位置に対応してカーソル４４位置を移動して表示し、ユーザー入力位置が所定項目４２の回りになれば、図５の（ｂ）のように、カーソル４５内部のイメージを動作状態を示す機能、例えば、ロールオーバー（Ｒｏｌｌｏｖｅｒ）を形象化したアイコンに変更して表示するようにディスプレイ部１３０を制御する。即ち、カーソル４５は現在の入力状況に合うメタフォー（Ｍｅｔａｐｈｏｒ）で視覚化したアイコンになることができる。
【００６６】
ここで、カーソルが位置する項目（オブジェクト）４２は、ハイライト等で強調して表示されることができる。また、本実施形態のディスプレイ装置１００は、カーソルの回りに位置する項目がユーザーが選択不可能な項目である場合、該当項目のティスエイブル（Ｄｉｓａｂｌｅ）を示すように表示（例えば、陰影処理）することができる。
【００６７】
また、ユーザーが該当項目４２を選択すれば、制御部１６０は図５の（ｃ）のように、カーソル４６内部のイメージを動作状態を示す機能、即ち、プレス（Ｐｒｅｓｓｅｄ）を形象化したアイコンに変更して表示するようにディスプレイ部１３０を制御する。ここで、項目４２の選択はリモコンに備わったキーボタン、タッチパッド等を操作して行われ、選択はクリック（ｃｌｉｃｋ）、ドラッグアンド  ドロップ（ｄｒａｇ−ａｎｄ−ｄｒｏｐ）等を含むことができる。
【００６８】
ユーザーはロールオーバーアイコンで表示されたカーソル４５を通じて該当項目が選択可能さを、プレスアイコンで表示されたカーソル１６を通じて該当項目の選択がフィードバックされて、別途の他の情報がなくてもユーザー入力の動作状態（機能）を容易に認知することができる。
【００６９】
同じ方式で、図６に示すように、ディスプレイ装置１００の入力モードがハンドジェスチャー入力モードである場合、図６の（ａ）のように、ディスプレイ部１３０に複数の選択可能な項目５１、５２、５３およびハンドジェスチャーカーソル５４が表示された状態で、ユーザーはハンドジェスチャー入力によって複数の項目５１、５２、５３の中でいずれか一つを選択することができる。制御部１６０はユーザー操作の位置に対応して、カーソル５４位置を移動して表示し、ユーザー入力位置が所定の項目５３の回りになれば、図６の（ｂ）のように、カーソル５５内部のイメージを動作状態を示す機能を視覚化したロールオーバー（Ｒｏｌｌｏｖｅｒ）アイコンに変更して表示するようにディスプレイ部１３０を制御する。ここで、選択可能な項目５３はハイライト等で強調して表示されることができる。
【００７０】
そして、ユーザーが該当項目５３を選択すれば、制御部１６０は、図６の（ｃ）のように、カーソル５６内部のイメージを動作状態を示す機能を視角化したプレス（Ｐｒｅｓｓｅｄ）アイコンに変更して表示するようにディスプレイ部１３０を制御する。
【００７１】
一方、項目の選択のようなユーザーの入力コマンドにしたがってディスプレイ装置１００が動作中だとか、所定のデータをローディングしている場合、制御部１６０は図７のようにカーソル内部のイメージを現在の動作状態を示す機能のアイコンに変更して表示することができる。
【００７２】
例えば、ディスプレイ装置１００が入力コマンドに対応する動作を行う場合、制御部１６０は図７の（ａ）のように、カーソルをウェイティング（Ｗａｉｔｉｎｇ）アイコンに変更して表示するようにディスプレイ部１３０を制御することができる。
【００７３】
同じ方式で、ディスプレイ装置１００が入力コマンドに従って所定のデータ（例えば、保存部１５０に保存されたデータ、映像受信部１１０を通じて外部から受信される放送データ等）をローディングする場合、制御部１６０は図７の（ｂ）のように、カーソルをローディング（Ｌｏａｄｉｎｇ）アイコンに変更して表示するようにディスプレイ部１３０を制御することができる。
【００７４】
本実施形態のウェイティングおよびローディングアイコンは、図７に示すように、時間の経過を反映するアニメーション効果が適用されて表示されることができる。ユーザーは、図７に表示されたカーソルを通じて、現在ディスプレイ装置１００がウェイティングまたはローディング機能の動作中であることを認知し、該当動作の完了時まで待つことができるので、ユーザーの便宜がさらに向上されることができる。
【００７５】
図８乃至図１１は本発明の実施形態によってカーソルを現在ユーザー入力の位置で入力可能なコマンドを示すアイコンで表示した例を示す図面である。
【００７６】
具体的に、選択可能でない領域（ベース領域）で選択できるオブジェクト７１上にカーソル７２を移動させるユーザーコマンドが入力されれば、制御部１６０はカーソル７２内部のイメージを動作状態を示す機能を形象化したアイコン、即ち該当オブジェクト７１で入力可能なコマンドを示すアイコンで表示することができる。例えば、図８に示すように、ウェブページ等を前ページに移動させる機能によるバック（Ｂａｃｋ）コマンドが入力可能なオブジェクト７１にカーソル７２が位置されれば、制御部１６０はカーソル７２内部のイメージをバック（またはリターン（Ｒｅｔｕｒｎ））機能を示すアイコンに変更して表示するようにディスプレイ部１３０を制御する。
【００７７】
同じ方式で、図９を参照すれば、上／下に移動する機能であるスクロール
コマンドが入力可能なオブジェクト７３にカーソル７４が位置されれば、制御部１６０はカーソル７４をスクロール（Ｓｃｒｏｌｌ）機能を示すアイコンに変更して表示するようにディスプレイ部１３０を制御する。
【００７８】
また、図１０に示すように、リアルタイムでアップデート機能を行うコマンドが入力可能なオブジェクト７５にカーソル７６が位置されれば、制御部１６０はカーソル７６をリフレッシュ（Ｒｅｆｒｅｓｈ）機能を示すアイコンに変更して表示するようにディスプレイ部１３０を制御する。
【００７９】
同じように、図１１のように、左／右に移動するコマンドが入力可能なオブジェクト７７にカーソル７８が位置されれば、制御部１６０はカーソル７８をスライダー（Ｓｌｉｄｅｒ）機能を示すアイコンに変更して表示するようにディスプレイ部１３０を制御する。
【００８０】
一方、本実施形態のユーザー入力の動作状態は、ユーザー入力の位置に存在するオブジェクトに対する情報をさらに含むことができる。ここで、カーソル内部の動作状態を示すイメージは該当情報に対応してディスプレイ装置１００の機能（ｆｕｎｃｔｉｏｎ）を形象化したことを表示することができる。
【００８１】
図１２及び図１３は本発明の実施形態によって、カーソルがユーザー入力位置のオブジェクトに対する情報を示すアイコンで表示された例を示す図面である。
【００８２】
図１２に示すように、ユーザーが複数のオブジェクト（項目）８１、８２、８３、８４の中で所定のコンテンツ（例えば、Ｂｕｒｎ  Ｎｏｔｉｃｅ）に該当する項目８３を選択すれば、制御部１６０は選択された項目（オブジェクト）８３に位置するカーソル８５をコンテンツ（Ｃｏｎｔｅｎｔｓ）を示すアイコンで変更して表示するようにディスプレイ部１３０を制御する。ここで、該当項目８３はハイライト等で強調して表示されることができる。ユーザーは変更表示されたカーソル８５を通じて選択されたオブジェクトがコンテンツに対することだと認知することができる。
【００８３】
同じ方式で、図１３に示すように、本実施形態のディスプレイ装置１００は、選択可能なオブジェクトに従ってカーソルを多様な情報（機能を含み）を示すアイコンで表示することができる。例えば、図１３のように、カーソルをウェブブラウザ（Ｗｅｂ  Ｂｒｏｗｓｅｒ）、スマートガイド（Ｓｍａｒｔ  Ｇｕｉｄｅ）、アプリケーション（Ａｐｐ）、コミュニケーション（Ｃｏｍｍｕｎｉｃａｔｉｏｎ）、ヘルプ（Ｈｅｌｐ）のように多様なアイコンで表示して、ユーザーの便宜を向上させることができる。
【００８４】
以下、本実施形態によるディスプレイ装置１００の制御方法に対して図面を参照して説明する。
【００８５】
図１４は本発明の実施形態によるディスプレイ装置１００の制御方法を示すフローチャートである。図１４に示すように、ディスプレイ装置１００はユーザー入力部１４０を通じて所定のユーザー入力を受信することができる（Ｓ３０１）。ここで、ユーザー入力部１４０はリモコン、マウス、キーボード、音声取得装置、タッチ感知センサー、モーション感知センサー等で具現可能であり、ディスプレイ装置１００は具現可能なユーザー入力部１４０に対応する複数の入力モード（例えば、リモコン入力、マウス入力、キーボード入力、ジェスチャー入力、タッチ入力、音声入力各々に対応する入力モード）を有することができる。
【００８６】
制御部１６０はユーザー入力の位置に対応して移動されるカーソルをディスプレイ部１３０に表示するように制御し、カーソルが段階Ｓ３０１で受信されたユーザー入力の動作状態を示すアイコンでディスプレイ部１３０に表示する（Ｓ３０３）。ここで、ユーザー入力の動作状態は、図２及び図３のようなユーザー入力部１４０の入力モード、図５乃至図７のような現再に入力されたコマンドによる動作状態、図８乃至図１１のようなユーザー入力の位置で入力可能なコマンドおよび図１２および図１３のようなユーザー入力位置のオブジェクトに対する情報の中で少なくとも一つを含むことができる。ここで、カーソル内部の動作状態を示すイメージは該当入力モード、コマンド、情報の中で少なくとも一つに対応してディスプレイ装置１００の機能を形象化して示すことができる。
【００８７】
このように、本発明の実施形態によれば、ユーザー入力の位置に対応して移動されるポインティングカーソルがユーザー入力の動作状態を示すアイコンで表示して、直観的にユーザー入力の動作状態を認知することができるので、操作中であるインタラクション（ｉｎｔｅｒａｃｔｉｏｎ）を断絶させなくても入力結果に対して直ちにフィードバックされるので、ユーザー入力の便宜性がさらに向上される。
【００８８】
以上、望ましい実施形態を通じて本発明に対して詳しく説明したが、本発明はこれに限られず、特許請求の範囲の内で多様に実施されることができる。
【符号の説明】
【００８９】
１００    ディスプレイ装置
１１０    映像受信部
１２０    映像処理部
１３０    ディスプレイ部
１４０    ユーザー入力部
１５０    保存部
１６０    制御部
【図１】
2014093090.tif 000003
【図２】
2014093090.tif 000004
【図３】
2014093090.tif 000005
【図４】
2014093090.tif 000006
【図５】
2014093090.tif 000007
【図６】
2014093090.tif 000008
【図７】
2014093090.tif 000009
【図８】
2014093090.tif 000010
【図９】
2014093090.tif 000011
【図１０】
2014093090.tif 000012
【図１１】
2014093090.tif 000013
【図１２】
2014093090.tif 000014
【図１３】
2014093090.tif 000015
【図１４】
2014093090.tif 000016